(57)【要約】      （修正有）【課題】光モジュールとケージとのロックを解除し、光モジュールを適切に抜去する光モジュールのための治具を提供する。【解決手段】光モジュール４のための治具は、実質的に長方形状の板１０を有する。また、治具は、板１０の一端に設けられたロック解除部材を有する。ロック解除部材は、光コネクタを接続するための光モジュール４がケージ５に挿入される方向に、板１０を移動することによって、ロック解除部材がケージ５の一端を押圧し、この押圧によって光モジュール４とケージとのロック５を解除するよう構成される。治具は、板１０の一端に設けられた折り返し部材を有する。折り返し部材は、ロックが解除された光モジュール４に折り返し部材が当接した後、挿入される方向と反対方向に板１０を移動することによって、光モジュール４がケージ５から取り出されるよう構成される。【選択図】図７
2017026719.tif 000002
【特許請求の範囲】
【請求項１】
実質的に長方形状の板と、
前記板の一端に設けられたロック解除部材であって、光コネクタを接続するための光モジュールがケージに挿入される方向に、前記板を移動することによって、前記ロック解除部材が前記ケージの一端を押圧し、前記押圧によって前記光モジュールと前記ケージとのロックを解除するよう構成された前記ロック解除部材と、
前記板の一端に設けられた折り返し部材であって、前記ロックが解除された前記光モジュールに前記折り返し部材が当接した後、前記挿入される方向と反対方向に前記板を移動することによって、前記光モジュールが前記ケージから取り出されるよう構成された前記折り返し部材と、
を備える光モジュールのための治具。
【請求項２】
前記ケージを備える通信機器がレセプタクルを有し、
前記レセプタクルの開口部から挿入された前記光モジュールが前記ケージにロックされた状態において、
前記板が、前記レセプタクルを介して、前記光モジュールが前記ケージに挿入される方向に移動することによって、
前記ロックが解除され、
前記板が、前記レセプタクルを介して、前記光モジュールが前記ケージに挿入される方向とは反対方向に移動することによって、
前記光モジュールが前記ケージから取り出される、
請求項１記載の光モジュールのための治具。
【請求項３】
前記板、前記ロック解除部材、および前記折り返し部材は、
一つの材料から形成される、
請求項１または２記載の光モジュールのための治具。
【請求項４】
前記ロック解除部材及び前記折り返し部材は、
前記板の一部を折り曲げることによって形成される、
請求項１乃至３の何れか一項に記載の光モジュールのための治具。
【請求項５】
前記板の一端に対抗する他端に、前記治具を操作するための操作部が設けられる、
請求項１乃至４の何れか一項に記載の光モジュールのための治具。
【請求項６】
前記光モジュールは、ＳＦＰ（Small Form Factor Pluggable）トランシーバである、
請求項１乃至５の何れか一項に記載の光モジュールのための治具。
【請求項７】
光コネクタを接続するための光モジュールがケージに挿入される方向に、治具を移動し、
前記治具のロック解除部材が、前記ケージの一端を押圧することによって、前記光モジュールと前記ケージとのロックを解除し、
前記光モジュールが前記ケージから取り出される方向に、前記治具が移動し、
前記ロックが解除された光モジュールに、前記治具に設けられた折り返し部材が当接し、
前記光モジュールが前記ケージから取り出される方向に、治具がさらに移動することによって、前記折り返し部材に当接した前記光モジュールが、引き出される、
光モジュールの取り出し方法。
【発明の詳細な説明】
【技術分野】
【０００１】
本開示は、光コネクタが接続される光モジュールのための治具及び光モジュールの取り出し方法に関する。
【背景技術】
【０００２】
特許文献１には、ＥＳＳ（Electronic Switching System）電話交換機において、装置と外部接続線とを接続する際に使用するコネクタ結合を引き抜くために用いる治具が開示されている。
【０００３】
また、特許文献２には、光コネクタのために用いられる治具が開示されている。特許文献３には、光コネクタをハウジングに対して挿抜するための挿抜工具が開示されている。
【先行技術文献】
【特許文献】
【０００４】
【特許文献１】実開昭６１−０３０９８８号
【特許文献２】特開２００５−２６６１００号
【特許文献３】特開平１１−１１９０５８号
【発明の概要】
【発明が解決しようとする課題】
【０００５】
上述のとおり、特許文献２及び３に開示された治具または挿抜工具は、光コネクタに対して用いられるものであって、光コネクタが接続される光モジュールのための治具ではない。また同様に、特許文献１に用いられる治具は、ＥＳＳ電話交換機に用いられるものであって、光コネクタが接続される光モジュールのための治具ではない。
【０００６】
本発明の例示的な実施形態は、光モジュールとケージとのロックを解除し、光モジュールを適切に抜去する、光モジュールのための治具及び光モジュールの取り出し方法を提供することを目的の一つとする。
【課題を解決するための手段】
【０００７】
例示的な実施形態における光モジュールのための治具は、実質的に長方形状の板を有する。また、当該治具は、前記板の一端に設けられたロック解除部材を有する。ロック解除部材は、光コネクタを接続するための光モジュールがケージに挿入される方向に、前記板を移動することによって、前記ロック解除部材が前記ケージの一端を押圧し、前記押圧によって前記光モジュールと前記ケージとのロックを解除するよう構成される。当該治具は、前記板の一端に設けられた折り返し部材を有する。折り返し部材は、前記ロックが解除された前記光モジュールに前記折り返し部材が当接した後、前記挿入される方向と反対方向に前記板を移動することによって、前記光モジュールが前記ケージから取り出されるよう構成される。
【０００８】
例示的な実施形態における光モジュールの取り出し方法は、光コネクタを接続するための光モジュールがケージに挿入される方向に、治具を移動する工程を有する。また、当該方法は、前記治具のロック解除部材が、前記ケージの一端を押圧することによって、前記光モジュールと前記ケージとのロックを解除する工程を有する。また、当該工程は、前記光モジュールが前記ケージから取り出される方向に、前記治具が移動し、前記ロックが解除された光モジュールに、前記治具に設けられた折り返し部材が当接し、前記光モジュールが前記ケージから取り出される方向に、治具がさらに移動することによって、前記折り返し部材に当接した前記光モジュールが、引き出される工程を有する。
【発明の効果】
【０００９】
本実施形態によれば、光モジュールとケージとのロックを解除し、光モジュールを適切に抜去することができる。
【図面の簡単な説明】
【００１０】
【図１】例示的な実施形態の通信機器を示す。
【図２】例示的な実施形態の通信機器の破断斜視図を示す。
【図３】例示的な実施形態における光モジュールのための治具の一例を示す。
【図４】光モジュールのための治具の他の例に関する破断斜視図を示す。
【図５】光モジュールのための治具の他の例に関する破断斜視図を示す。
【図６】光モジュールのための治具の他の例に関する破断斜視図を示す。
【図７】例示的な実施形態におけるロック解除の動作を示す。
【図８】例示的な実施形態におけるロック解除の動作を示す部分拡大図である。
【図９】例示的な実施形態における光モジュールの取り出し動作を示す。
【図１０】例示的な実施形態における光モジュールの取り出し動作を示す部分拡大図である。
【発明を実施するための形態】
【００１１】
例示的な実施形態について、図面を参照して詳細に説明する。各図面において、同一又は対応する要素には同一の符号が付されており、説明の明確化のため、必要に応じて重複説明は省略される。
【００１２】
図１は、例示的な実施形態の通信機器を示す。
【００１３】
図１において、通信機器１は、レセプタクル２を有する。後述する光モジュールが、レセプタクル２を介して、通信機器１に対して挿抜される。
【００１４】
図２は、図１に示される通信機器１の破断斜視図を示す。
【００１５】
図２において、通信機器１は、レセプタクル２に加えて、プリント基板３、光モジュール４、ケージ５を有する。
【００１６】
プリント基板３は、電子回路を構成する板状の回路基板である。プリント基板３は、ケージ５と接続する。プリント基板３は、プリント基板上で伝送される電気信号を、ケージ５を介して、光モジュール４との間で送受信する。
【００１７】
ケージ５は、プリント基板３の上に設けられ、光モジュール４を挿抜可能に収容する。ケージ５は、光モジュール４を挿入するための挿入口を前側に備え、前後方向に長い断面矩形の箱形部材である。光モジュール４がケージ５に挿入されると、ケージ５内のコネクタ（不図示）に対して、光モジュール４の回路基板が、電気的または機械的に接続される。これにより、光モジュール４とプリント基板３との間で電気信号が伝送される。
【００１８】
光モジュール４は、ケージ５に挿抜可能に構成される。光モジュール４の内部には、光電変換素子（不図示）や回路基板等（不図示）が備えられている。光モジュール４の前面には、光ファイバのコネクタ（光コネクタ）を挿入可能な開口部が形成されている。光コネクタが光モジュール４に接続されている場合において、光ファイバで送受信される光信号と、プリント基板３で処理される電気信号とが相互に変換される。
【００１９】
ここで、光モジュール４は、光モジュール４を収容するケージ５とロック可能に構成される。例えば、ケージ５の一端が光モジュール４の底面に設けられたロック部と係合し、光モジュール４とケージ５とがロックする。この一端は、板バネで構成することが可能である。
【００２０】
このロックは、例えば、光モジュール４に設けられたロック解除レバーを回動させることにより、解除される。
【００２１】
例えば、光モジュール４を収納したケージ５を備える通信機器１が屋外で使用される場合、レセプタクル２の開口部のスペースは限られている。このため、ケージ５に収容された光モジュール４を交換する場合、限られたスペースの中で、ロック解除レバーを操作しなければならない。このようにロック解除のためのスペースが限られているため、ロック解除レバーを操作することが困難である。
【００２２】
さらに、通信機器１の小型化が要求される場合、通信機器１内部のスペースはさらに限定される。例えば、レセプタクル２と光モジュール４との間のスペースが限定される。このような場合、ロック解除レバーを操作することが、困難である。
【００２３】
また、ロック解除レバーは、光モジュール４の提供元の仕様に応じて異なることが多い。このため、それぞれの提供元に応じたロック解除のための治具が必要である。
【００２４】
図３は、例示的な実施形態における光モジュールのための治具の一例を示す。
【００２５】
治具９は、板１０と、ロック解除部材１１と、折り返し部材１２及び折り返し部材１３、操作部１８とを有する。
【００２６】
ロック解除部材１１は、光モジュール４がケージ５に挿入される方向に治具９を移動させる場合に、ケージ５の一端を押圧する。この押圧によって、光モジュール４の底面に設けられたロック部（また凸部）と、ケージ５の一端に設けられた係合孔（不図示）とのロックが解除される。
【００２７】
なお、図３において、ロック解除部材１１は、折り返し部材１２と折り返し部材１３との間に設けられる。ロック解除部材１１は、２段階に折り曲げられている。ロック解除部材１１は、第１部材１１１と第２部材１１２とから構成される。
【００２８】
治具９の一端の両端には、折り返し部材１２と折り返し部材１３とが設けられている。
【００２９】
図３において、折り返し部材１２及び折り返し部材１３はかぎ爪のように１段階に折り曲げられている。
【００３０】
折り返し部材１２及び折り返し部材１３は、光モジュール４とケージ５とのロックが解除された後、治具９が光モジュール４を引き抜く方向に移動する際に、光モジュール４に設けられた当接面に当接する。
【００３１】
折り返し部材１２及び折り返し部材１３が、光モジュール４の当接面に当接した状態で、光モジュール４を引き抜く方向に、治具９が移動されると、治具９とともに光モジュール４も引き抜かれる。
【００３２】
操作部１８は、治具９の他端に設けられ、治具９を操作するための部分である。
【００３３】
上述のとおり、治具９を引き戻す際に両端の折り返し形状が光モジュールに引っ掛かり光モジュールを引き出す構造になっている。
【００３４】
なお、ロック解除部材１１において、２段階の折り曲げは必ずしも要求されず、１段階であってもよい。また、２段階の折り曲げ角度は、図３に示した角度に限られない。
【００３５】
図４は、図３の点線Ａで示された光モジュールの治具の他の例に関する破断斜視図を示す。
【００３６】
図４において、図３のロック解除部材１１の代わりに、ロック解除部材１４が板１０の一端に設けられている。
【００３７】
ロック解除部材１４は、第１部材１４１と第２部材１４２とから構成される。第２部材１４２は、図３の第２部材１１２と同様の角度で、板１０に対して折り曲げられている。
【００３８】
第１部材１４１は、図３の第１部材１１１とは異なる角度で折り曲げられている。第１部材１４１は、第２部材１４２の延長線に対して離れる方向に折り曲げられる。
【００３９】
図５は、図３の点線Ａで示された光モジュールの治具の他の例に関する破断斜視図を示す。
【００４０】
図５において、図３のロック解除部材１１の代わりに、ロック解除部材１５が板１０の一端に設けられている。
【００４１】
ロック解除部材１５は、第１部材１５１と第２部材１５２とから構成される。ロック解除部材１１は、実質的に長方形の板で構成される。ロック解除部材１５は、曲線状の角を有している。
【００４２】
ロック解除部材１５と折り返し部材１２との間には、所定のスペースが設けられてもよい。同様に、折り返し部材１３とロック解除部材１５との間に所定のスペースが設けられてもよい。
【００４３】
第１部材１５１の一端が、ケージ５の板バネを押圧（押下）することによって、光モジュール４とケージ５とのロック状態が解除される。ケージ５の板バネの幅に応じて、第１部材１５１または第２部材１５２の幅が決定されてもよい。
【００４４】
上述のとおり、ロック解除部材１５の第１部材１５１は、先端中央にＲ形状に立ち上がった爪を有している。治具９がレセプタクル２の開口部から通信機器１の内部に挿入された際に、この先端中央の爪部分でケージ５の板バネを押圧し、ロックが解除される。
【００４５】
Ｒ形状に構成されることで、ロック解除部材１５がケージ５の板バネ６を効果的に押圧できる。また、ロック解除部材１５が、光モジュール４やレセプタクル２等へ接触した場合に、傷や故障の発生を抑制することができる。このように、ロック解除及び引き出しの作業性向上と、光モジュール４やレセプタクル２等の長寿命化が図れる。
【００４６】
図６は、図５の光モジュールの治具の他の例に関する破断斜視図を示す。
【００４７】
図６において、折り返し部材１２および折り返し部材１３の代わりに、折り返し部材１６および折り返し部材１７が其々設けられている。
【００４８】
折り返し部材１２および折り返し部材１３は、板１０に対して、直線的に折り曲げられることによって、形成されている。折り返し部材１６および折り返し部材１７は、板１０に対して、曲線的に折り曲げられることによって、形成されている。図５では、折り返し部材がＶ字に折り返された。図６では、折り返し部材がＵ字に折り返されることができる。
【００４９】
図７は、例示的な実施形態におけるロック解除の動作を示す。図７は、通信機器１の断面図である。
【００５０】
図７において、光モジュール４はケージ５にロックされている。このとき、レセプタクル２の間口（開口部）から、治具９を挿入する。
【００５１】
治具９は、光モジュール４の底面とレセプタクル２との間のスペースに、光モジュール４の底面に沿って、挿入される。治具９の板１０が矢印方向に挿入されると、板１０の一端がケージ５の一端に当接する。図７のＢ部分の詳細が、図８に示される。
【００５２】
図８は、例示的な実施形態におけるロック解除の動作を示す部分拡大図である。
【００５３】
図８において、光モジュール４のロック部７が、ケージ５の板バネ６の係合孔にロックされている。この時、矢印方向から、治具９の板１０が挿入されると、板１０の一端に設けられたロック解除部材１１が、板バネ６に当接する。
【００５４】
この後、更に矢印方向に板１０が移動することによって、ロック解除部材１１が板バネ６を押圧する。この押圧によって、板バネ６は光モジュール４から離れる方向に押し下げられ、ロックが解除される。このロックが解除された後の動作の詳細が、図９に示される。
【００５５】
図９は、例示的な実施形態における光モジュールの取り出し動作を示す。
【００５６】
図９において、光モジュール４のロック部７とケージ５の板バネ６とのロックが解除されている。
【００５７】
治具９の板１０が矢印方向に移動すると、光モジュール４の底面の所定の面に板１０の一端が当接する。このＣ部分の詳細が、図１０に示される。
【００５８】
図１０は、例示的な実施形態における光モジュールの取り出し動作を示す部分拡大図を示す。
【００５９】
図１０において、矢印方向に、治具９の板１０が移動すると、折り返し部材１３（及び折り返し部材１２）の一端が、光モジュール４の底面に形成される当接面８に当接する。
【００６０】
この後、更に矢印方向に板１０が移動することによって、折り返し部材１３が当接面８を押圧する。この押圧によって、光モジュール４が、矢印方向に移動する。この結果、光モジュール４は、ケージ５から引き出される。光モジュール４は、レセプタクル２を介して、通信機器１の外部に取り出される。
【００６１】
このように、折り返し部材１３及び折り返し部材１２の折り返しが、光モジュール４を引掛けることによって、光モジュール４が取り出される。
【００６２】
上述のとおり、本実施形態によれば、レセプタクルの開口部から光モジュールを交換できる構造において、レセプタクルの奥に配置され、取り出し困難な光モジュールを容易に交換可能にする。
【００６３】
また、たとえ、光モジュールのロック解除のための部材（レバーの形状等）が異なっても、本実施形態に示された共通の治具によってロックが解除できる。
【００６４】
本実施形態の治具を用いることで、光モジュールのロック解除レバーの形状によらず、レセプタクルの外からの操作により光モジュールを容易に取り出すことが可能となる。
【００６５】
＜その他の例示的な実施形態＞
上述した折り返し部材１２及び折り返し部材１３等は、板１０の一部を折り返すことによって形成される。また、上述した折り返し部材１２及び折り返し部材１３等は、板１０と異なる部材を付け加えることによって形成されてもよい。
【００６６】
上述した板１０は、薄板形状である。ただし、レセプタクル２と光モジュール４との間のスペースに挿入可能な形状であれば、薄板形状とは異なる形状が採用されてもよい。
【００６７】
折り返し部材１３及び折り返し部材１２における光モジュールの底面に対抗する部材（当接面８に当接する端部）と、ロック解除部材１１の第１の部材１１１とが、同じ長さに形成されてもよい。これによって、折り返し部材１２と折り返し部材１３を形成するために、板１０の一部を折り曲げる際に、ロック解除部材１１の１１１も同時に形成する事が可能となる。
【００６８】
この場合、例えば、折り返し部材１２、折り返し部材１３、第１の部材１１１が、まず形成される。続いて、折り返し部材１２及び折り返し部材１３と、ロック解除部材１１が分離される。最後に、第２の部材１１２を形成するため、ロック解除部材１１のみ板１０に対して折り曲げられる。
【００６９】
このように、シンプルな工程で治具９を形成する事が、できる。
【００７０】
また、ロック解除部材１１の方が、折り返し部材１２または折り返し部材１３よりも長くなるように形成されてもよい。
【００７１】
図３に示すとおり、操作部１８は、面取りがなされてもよい。例えば、この面取りは、少なくとも一つの角が、丸く面取り加工されたＲ面取りであってもよい。また、面取り加工は、Ｃ（Chamfering）面取りであってもよい。
【００７２】
板１０と折り返し部材１２、１３、１６、１７とロック解除部材１１、１４、１５は、単一の材料から形成されてもよい。
【００７３】
板１０と折り返し部材１２、１３、１６、１７とロック解除部材１１、１４、１５は、金属等の材料を折り曲げることによって形成されてもよい。
【００７４】
また、板１０と折り返し部材１２、１３、１６、１７とロック解除部材１１、１４、１５は、樹脂等で成形されてもよい。
【００７５】
上述した光モジュールは、ＳＦＰ（Small Form Factor Pluggable）トランシーバであってもよい。
【００７６】
上述した光モジュールは、ＳＦＰ＋（Enhanced Small Form Factor Pluggable）トランシーバであってもよい。
【００７７】
上述した光モジュールは、ＣＳＦＰ（Compact Small Form Factor Pluggable）トランシーバであってもよい。
【００７８】
上述した光モジュールは、ＸＦＰ（10 Gigabit Small Form Factor Pluggable）トランシーバであってもよい。
【符号の説明】
【００７９】
１    通信機器
２    レセプタクル
３    プリント基板
４    光モジュール
５    ケージ
６    板バネ
７    ロック部
８    当接面
９    治具
１０    板
１１、１４、１５    ロック解除部材
１２、１３、１６、１７    折り返し部材
１８    操作部
【図１】
2017026719.tif 000003
【図２】
2017026719.tif 000004
【図３】
2017026719.tif 000005
【図４】
2017026719.tif 000006
【図５】
2017026719.tif 000007
【図６】
2017026719.tif 000008
【図７】
2017026719.tif 000009
【図８】
2017026719.tif 000010
【図９】
2017026719.tif 000011
【図１０】
2017026719.tif 000012